(57)【要約】      （修正有）【課題】本発明は、分解及び組立てが容易なクレーン及びクレーン分解方法を提供することを課題とする。【解決手段】クレーンは、下部走行体１と、上記下部走行体上に搭載される上部旋回体２と、上記上部旋回体に起伏可能に取り付けられ、吊りロープＲｈが掛け渡されるブーム３と、上記ブームを起伏させる起伏機構４とを備え、上記起伏機構が、上記上部旋回体に着脱可能に取り付けられるガントリ１２又はマストと、上記ガントリ又はマストの先端に設けられる第１スプレッダ１３と、上記第１スプレッダと対をなす第２スプレッダ１４と、上記ガントリ又はマストに配設され、上記第１スプレッダ及び上記第２スプレッダに掛け渡される起伏ロープＲｄを巻き取る起伏ウインチ１５とを有し、上記ガントリ又はマストが、上記起伏ロープの巻取りにより上記第２スプレッダが係合するスプレッダ保持部１７を有する。【選択図】図１
2019077541.tif 000002
【特許請求の範囲】
【請求項１】
下部走行体と、
上記下部走行体上に搭載される上部旋回体と、
上記上部旋回体に起伏可能に取り付けられるブームと、
上記ブームを起伏させる起伏機構と
を備え、
上記起伏機構が、
上記上部旋回体に着脱可能に取り付けられるガントリ又はマストと、
上記ガントリ又はマストの先端に設けられる第１スプレッダと、
上記第１スプレッダと対をなす第２スプレッダと、
上記ガントリ又はマストに配設され、上記第１スプレッダ及び上記第２スプレッダに掛け渡される起伏ロープを巻き取る起伏ウインチと
を有し、
上記ガントリ又はマストが、上記起伏ロープの巻取りにより上記第２スプレッダが係合するスプレッダ保持部を有するクレーン。
【請求項２】
上記ガントリ又はマストが上記起伏ウインチを保持するブラケットを有し、
上記ブラケットが上記第２スプレッダを案内するガイドを有する請求項１に記載のクレーン。
【請求項３】
上記ガントリ又はマストに配設され、上記ブームに掛け渡される吊りロープを巻き取る巻上げウインチを有する請求項１又は請求項２に記載のクレーン。
【請求項４】
上記ブームが、
雑役ロープを巻き取る雑役ウインチと、
上記雑役ロープを上記ガントリ又はマスト側に折り返す折返しシーブと
を有する請求項１、請求項２又は請求項３に記載のクレーン。
【請求項５】
下部走行体と、
上記下部走行体上に搭載される上部旋回体と、
上記上部旋回体に起伏可能に取り付けられるブームと、
上記ブームを起伏させる起伏機構と
を備え、
上記起伏機構が、
上記上部旋回体に着脱可能に取り付けられるガントリと、
上記ガントリの先端に設けられる第１スプレッダと、
上記第１スプレッダと対をなす第２スプレッダと、
上記ガントリに取り付けられ、上記第１スプレッダ及び上記第２スプレッダに掛け渡される起伏ロープを巻き取る起伏ウインチと
を有し、
上記ガントリが、上記起伏ロープの巻取りにより上記第２スプレッダが係合するスプレッダ保持部を有するクレーンの分解方法であって、
上記第２スプレッダを補助クレーンで吊り上げると共にロープで上記ブーム側に引っ張りながら、上記起伏ウインチで上記起伏ロープを巻き取ることで上記スプレッダ保持部を上記第２スプレッダに係合させるクレーン分解方法。
【請求項６】
上記ガントリ又はマストが上記起伏ウインチを保持するブラケットを有し、
上記ブラケットが上記第２スプレッダを案内するガイドを有する請求項５に記載のクレーン分解方法。
【請求項７】
上記ブームが、
雑役ロープを巻き取る雑役ウインチと、
上記雑役ロープを上記ガントリ又はマスト側に折り返す折返しシーブと
を有する請求項５又は請求項６に記載のクレーン分解方法。
【発明の詳細な説明】
【技術分野】
【０００１】
本発明は、クレーン及びクレーン分解方法に関する。
【背景技術】
【０００２】
比較的大型のクレーンは、重量が大きいため、複数の部分に分解され、複数のトレーラー等に分けて積載されることによって搬送される。このため、作業現場においてクレーンを分解及び組立てする必要がある。
【０００３】
このような分解及び組立てを効率よく行うことができるようにする技術として、特開２００７−３０２３５２号公報には、ブームの起伏に用いる起伏ウインチをマスト又はガントリに配設して、起伏ウインチとマスト又はガントリとを一体に取り外すことができるようにすることが提案されている。
【先行技術文献】
【特許文献】
【０００４】
【特許文献１】特開２００７−３０２３５２号公報
【発明の概要】
【発明が解決しようとする課題】
【０００５】
上記公報に記載のクレーンでは、分解時に、マストの先端に設けられるマスト側スプレッダと対をなし、マスト側スプレッダとの間に起伏ウインチから延びるロープが掛け渡されるフレーム側スプレッダをフレームから分離し、起伏ウインチでロープを巻き取ってフレーム側スプレッダをマスト側スプレッダに接近させた状態としてフレーム側スプレッダを揺れ動き難くするとしている。
【０００６】
しかしながら、上記公報に記載のクレーンでは、フレーム側スプレッダをマスト側スプレッダに接近させたとしても、フレーム側スプレッダを固定できるわけではないので、取り扱いに注意が必要となる。また、上記公報に記載のクレーンでは、取り外したマストをトレーラー等に積載したときにフレーム側スプレッダが床面等に接触して持ち上げられると、マスト側スプレッダとフレーム側スプレッダとの間に掛け渡されたロープが緩んでシーブから外れてしまい、組立て時にロープを掛け直す必要が生じるおそれがある。
【０００７】
上記不都合に鑑みて、本発明は、分解及び組立てが容易なクレーン及びクレーン分解方法を提供することを課題とする。
【課題を解決するための手段】
【０００８】
上記課題を解決するためになされた本発明の一態様に係るクレーンは、下部走行体と、上記下部走行体上に搭載される上部旋回体と、上記上部旋回体に起伏可能に取り付けられ、吊りロープが掛け渡されるブームと、上記ブームを起伏させる起伏機構とを備え、上記起伏機構が、上記上部旋回体に着脱可能に取り付けられるガントリ又はマストと、上記ガントリ又はマストの先端に設けられる第１スプレッダと、上記第１スプレッダと対をなす第２スプレッダと、上記ガントリ又はマストに配設され、上記第１スプレッダ及び上記第２スプレッダに掛け渡される起伏ロープを巻き取る起伏ウインチとを有し、上記ガントリ又はマストが、上記起伏ロープの巻取りにより上記第２スプレッダが係合するスプレッダ保持部を有する。
【０００９】
当該クレーンは、上記起伏ウインチが上記ガントリ又はマストに配設されているので、分解時に、上記ガントリ又はマストと、上記起伏ウインチと、上記第１スプレッダ及び上記第２スプレッダとを一体に取り外して分解することができる。したがって、当該クレーンは、分解が容易である。また、当該クレーンは、上記ガントリ又はマストが、上記起伏ロープの巻取りにより上記第２スプレッダが係合する上記スプレッダ保持部が配設されているので、分解時に上記第２スプレッダを上記ガントリ又はマストに固定すると共に、上記第１スプレッダ及び上記第２スプレッダ間に掛け渡されている起伏ロープに張力を付与して起伏ロープの外れを防止することができる。このため、当該クレーンは、組立て時に起伏ロープを掛け直す作業が発生しないため、組立てが容易である。
【００１０】
当該クレーンは、上記ガントリ又はマストに上記起伏ウインチを取り付けるブラケットを有し、上記ブラケットが上記第２スプレッダを案内するガイドを有してもよい。この構成によれば、上記起伏ロープの巻取りにより上記第２スプレッダを上記スプレッダ保持部に係合させる作業が容易となるため、当該クレーンは分解がより簡単になる。
【００１１】
当該クレーンは、上記ガントリ又はマストに配設され、上記吊りロープを巻き取る巻上げウインチを有してもよい。この構成によれば、上記巻上げウインチも上記ガントリ又はマストと一体に上記上部旋回体から取り外すことができるので、当該クレーンは分解がさらに容易となる。
【００１２】
上記ブームが、雑役ロープを巻き取る雑役ウインチと、上記雑役ロープを上記ガントリ又はマスト側に折り返す折返しシーブとを有してもよい。この構成によれば、上記第２スプレッダを上記スプレッダ保持部に係合させる作業中に上記第１スプレッダ及び上記第２スプレッダ間の上記起伏ロープに上記ブームの起伏方向の張力を付与して、上記第２スプレッダが上記スプレッダ保持部に向かって移動することを確実にすると共に上記起伏ロープの外れを防止することができる。
【００１３】
また、本発明の別の態様に係るクレーンの分解方法は、下部走行体と、上記下部走行体上に搭載される上部旋回体と、上記上部旋回体に起伏可能に取り付けられるブームと、上記ブームを起伏させる起伏機構とを備え、上記起伏機構が、上記上部旋回体に着脱可能に取り付けられるガントリと、上記ガントリの先端に設けられる第１スプレッダと、上記第１スプレッダと対をなす第２スプレッダと、上記ガントリに取り付けられ、上記第１スプレッダ及び上記第２スプレッダに掛け渡される起伏ロープを巻き取る起伏ウインチとを有し、上記ガントリが、上記起伏ロープの巻取りにより上記第２スプレッダが係合するスプレッダ保持部を有するクレーンの分解方法であって、上記第２スプレッダを補助クレーンで吊り上げると共にロープで上記ブーム側に引っ張りながら、上記起伏ウインチで上記起伏ロープを巻き取ることで上記スプレッダ保持部を上記第２スプレッダに係合させる。
【００１４】
当該クレーン分解方法は、上記第２スプレッダを補助クレーンで吊り上げると共にロープで上記ブーム側に引っ張ることで、上記第１スプレッダ及び上記第２スプレッダ間に掛け渡されているロープに張力を付与した状態で、上記起伏ロープの巻取りにより上記第２スプレッダを上記スプレッダ保持部に係合させるので、上記第２スプレッダを上記スプレッダ保持部に係合させる作業中に上記第２スプレッダが上記スプレッダ保持部と異なる方向に移動したり、起伏ロープが上記第１スプレッダ及び上記第２スプレッダから外れたりすることを防止することができる。このため、当該クレーン分解方法は、クレーンを容易に分解することができ、分解したパーツの組立ても容易である。
【００１５】
当該クレーン分解方法において、上記ガントリ又はマストが上記起伏ウインチを保持するブラケットを有し、上記ブラケットが上記第２スプレッダを案内するガイドを有してもよい。この構成によれば、上記起伏ロープの巻取りにより上記第２スプレッダを上記スプレッダ保持部に係合させる作業が容易となるため、当該クレーンをより簡単に分解することができる。
【００１６】
当該クレーン分解方法において、上記ブームが、雑役ロープを巻き取る雑役ウインチと、上記雑役ロープを上記ガントリ又はマスト側に折り返す折返しシーブとを有してもよい。この構成によれば、上記第２スプレッダを上記スプレッダ保持部に係合させる作業中に上記第１スプレッダ及び上記第２スプレッダ間の上記起伏ロープに上記ブームの起伏方向の張力を付与して、上記第２スプレッダが上記スプレッダ保持部に向かって移動することを確実にすると共に上記起伏ロープの外れを防止することができる。
【発明の効果】
【００１７】
以上のように、本発明のクレーン及びクレーン分解方法は、分解及び組立てが容易である。
【図面の簡単な説明】
【００１８】
【図１】本発明の一実施形態のクレーンを示す模式的側面図である。
【図２】図１のクレーンから取り外したガントリを示す模式的側面図である。
【図３】図１のクレーンの分解方法を示す模式的側面図である。
【図４】本発明の図１とは異なる実施形態のクレーンを示す模式的側面図である。
【図５】図４のクレーンの分解方法を示す模式的側面図である。
【発明を実施するための形態】
【００１９】
以下、適宜図面を参照しつつ、本発明の実施の形態を詳説する。
【００２０】
［第一実施形態］
図１に本発明の第一実施形態に係るクレーンを示す。当該クレーンは、下部走行体１と、下部走行体１上に水平方向に旋回可能に搭載される上部旋回体２と、上部旋回体２の前部に起伏（前側に倒伏、後側に起立するよう揺動）可能に取り付けられるブーム３と、ブーム３を起伏させる起伏機構４とを備える。なお、図では、例えばエンジン、油圧ポンプ、カウンタウエイト等の構成は省略している。
【００２１】
〔下部走行体〕
下部走行体１は、走行装置として一対のクローラー（履帯）５を有する。
【００２２】
〔上部旋回体〕
上部旋回体２は、ブーム３の取り付け部に隣接するよう操縦者用キャビン６が設けられる。起伏機構４は、ブーム３の後方に配設される。
【００２３】
〔ブーム〕
ブーム３は、上部旋回体２に前後に揺動可能に取り付けられる基端部７と、吊り荷を吊り上げる吊りロープＲｈを案内するシーブを有する先端部８とを含む。なお、吊りロープＲｈを巻き取る巻上げウインチ９は、上部旋回体２に配設される。
【００２４】
ブーム３は、基端部７に、雑役ロープＲｏを巻き取る雑役ウインチ１０と、雑役ロープＲｏを上部旋回体２側に折り返す折返しシーブ１１とを有する。雑役ウインチ１０は、例えば基端部７と先端部８との接続作業等に用いられる他、折返しシーブ１１と共に使用することにより本発明の実施形態に係るクレーン分解方法に用いることができる。
【００２５】
〔起伏機構〕
起伏機構４は、上部旋回体２に着脱可能に取り付けられるガントリ１２と、ガントリ１２の先端に設けられる第１スプレッダ１３と、第１スプレッダ１３と対をなす第２スプレッダ１４と、ガントリ１２に配設され、第１スプレッダ１３及び第２スプレッダ１４に掛け渡される起伏ロープＲｄを巻き取る起伏ウインチ１５とを有する。
【００２６】
＜ガントリ＞
ガントリ１２は、当該クレーンの使用時には、上部旋回体２から後側上方に延びるよう配置される。このガントリ１２は、ハイＡフレームとも呼ばれ、ブーム３の起伏の基準点とされる。具体的には、ガントリ１２の先端（上部旋回体２と反対側の端部）に、第１スプレッダ１３及び第２スプレッダ１４並びに第２スプレッダ１４に連結されるガイライン１６を介してブーム３の先端部が接続される。
【００２７】
ガントリ１２は、第２スプレッダ１４が係合可能なスプレッダ保持部１７を有する。また、ガントリ１２は、起伏ウインチ１５を保持するブラケット１８を有する。
【００２８】
（スプレッダ保持部）
スプレッダ保持部１７は、第２スプレッダ１４をガイライン１６から切り離し、第２スプレッダ１４をガントリ１２上に配置した状態で、起伏ウインチ１５で起伏ロープＲｄを巻取り、ガントリ１２に沿って第２スプレッダ１４を第１スプレッダ１３に向かって移動させることで第２スプレッダ１４が係合するよう配設される。
【００２９】
スプレッダ保持部１７は、図２に示すように、第２スプレッダ１４をガントリ１２上に案内する案内部１９と、第２スプレッダ１４の第１スプレッダ１３側への移動端を定める係止部２０とを有する構成とすることができる。また、スプレッダ保持部１７は、第２スプレッダ１４を固定するための固定ピン等を取り付け可能であってもよい。
【００３０】
（ブラケット）
起伏ウインチ１５を保持するブラケット１８は、第２スプレッダ１４を案内するガイド２１を有することが好ましい。このように、ブラケット１８がガイド２１を有することによって、第２スプレッダ１４をガントリ１２に沿って移動させてスプレッダ保持部１７に係合させることが容易となる。
【００３１】
ガイド２１としては、起伏ウインチ１５の第１スプレッダ１３側に配置される板状体を用いることができる。また、ガイド２１は、第２スプレッダ１４との摩擦を低減するために、例えば摺動部材、ローラ等を有してもよい。逆に、第２スプレッダ１４に、ガイド２１との摩擦を低減するために、例えば摺動部材、ローラ等を設けてもよい。
【００３２】
＜スプレッダ＞
第１スプレッダ１３及び第２スプレッダ１４は、複数のシーブを有し、起伏ロープＲｄが複数回往復するよう掛け渡され、相互の間隔が起伏ロープＲｄの長さに応じて変化する。これにより、ガイライン１６を介してブーム３の先端部とガントリ１２の先端部との距離を調節することで、ブーム３の起伏角度を定める。
【００３３】
〔クレーンの分解方法〕
図１のクレーンは、本発明に係るクレーン分解方法の実施形態によって分解することができる。当該クレーン分解方法は、図３に示すように、第２スプレッダ１４を補助クレーン（フックＦのみ図示）で吊り上げると共に雑役ロープＲｏで第２スプレッダ１４をブーム３側に引っ張りながら起伏ウインチ１５で起伏ロープＲｄを巻き取ることでスプレッダ保持部１７に第２スプレッダ１４を係合させる工程を含む。
【００３４】
より詳しく説明すると、当該クレーン分解方法は、ブーム３を倒伏させる工程と、第２スプレッダ１４からガイライン１６を分離する工程と、第２スプレッダ１４を補助クレーンのフックＦを係合させる工程と、ブーム３の先端部８を分離する工程と、雑役ロープＲｏを折返しシーブ１１で折り返して第２スプレッダ１４又は補助クレーンのフックＦに連結する工程と、第２スプレッダ１４を補助クレーンで吊り上げると共に雑役ロープＲｏでブーム３側に引っ張りながら起伏ウインチ１５で起伏ロープＲｄを巻き取ることでスプレッダ保持部１７に第２スプレッダ１４を係合させる工程と、ガントリ１２を第１スプレッダ１３、第２スプレッダ１４及び起伏ウインチ１５と共に上部旋回体２から分離する工程とを含む。
【００３５】
スプレッダ保持部１７に第２スプレッダ１４を係合させる工程では、第２スプレッダ１４を補助クレーンで吊り上げることで、第２スプレッダ１４及び起伏ロープＲｄが起伏ウインチ１５よりも第１スプレッダ１３側に到達するまで、他の構成要素に干渉しないようにする。
【００３６】
図３に示すように、第２スプレッダ１４をブラケット１８のガイド２１上に配置した状態から起伏ウインチ１５で起伏ロープＲｄを巻き取ることによって、第２スプレッダ１４をガイド２１に沿って移動させられるので、第２スプレッダ１４をガントリ１２上に適切に配置することができ、さらに第２スプレッダ１４をガントリ１２に沿って移動させることでスプレッダ保持部１７にスムーズに係合させることができる。
【００３７】
この間、スプレッダ保持部１７に係合するまで雑役ウインチ１０を駆動して第２スプレッダ１４を雑役ロープＲｏによってブーム３側に引っ張ることによって、第２スプレッダ１４が左右方向（ブーム３の起伏方向に垂直な方向）にずれることを抑制すると共に、第１スプレッダ１３及び第２スプレッダ１４間に掛け渡されている起伏ロープＲｄに張力を付与して起伏ロープＲｄの外れを防止することができる。
【００３８】
このように、起伏ロープＲｄに張力を付与した状態で第２スプレッダ１４をスプレッダ保持部１７に係合させることによって、当該クレーンの分解後も起伏ロープＲｄに張力を保持させることができる。このため、分解した当該クレーンを搬送する間に起伏ロープＲｄが第１スプレッダ１３及び第２スプレッダ１４から外れて次の組立て時に起伏ロープＲｄを掛け直す必要が生じることを防止できる。つまり、当該クレーンが、分解後の再組立てが容易である。
【００３９】
スプレッダ保持部１７に第２スプレッダ１４を係合させる工程では、図示するように、ガントリ１２を後方に倒伏した状態で行ってもよい。
【００４０】
＜利点＞
当該クレーンは、図２に示すように、ガントリ１２、第１スプレッダ１３、第２スプレッダ１４及び起伏ウインチ１５を一体に上部旋回体２から分離することができる。このため、当該クレーンは、分解及び組立てが容易である。
【００４１】
また、当該クレーンは、ガントリ１２に、起伏ロープＲｄの巻取りにより第２スプレッダ１４が係合するスプレッダ保持部１７が配設されているので、分解時に第２スプレッダ１４をガントリ１２に固定すると共に、第１スプレッダ１３及び第２スプレッダ１４間に掛け渡されている起伏ロープＲｄに張力を付与して起伏ロープＲｄの外れを防止することができる。このため、当該クレーンは、組立て時に起伏ロープＲｄを掛け直す作業が発生しないため、組立てが容易である。
【００４２】
当該クレーンは、ガントリ１２に起伏ウインチ１５を取り付けるブラケット１８が第２スプレッダ１４を案内するガイド２１を有するので、起伏ロープＲｄの巻取りにより第２スプレッダ１４をスプレッダ保持部１７に係合させる作業が容易となるため、分解がより簡単である。
【００４３】
当該クレーンは、ブーム３に雑役ロープＲｏを巻き取る雑役ウインチ１０と、雑役ロープＲｏをガントリ１２側に折り返す折返しシーブ１１とを設けたことにより、第２スプレッダ１４をスプレッダ保持部１７に係合させる作業中、起伏ロープＲｄに容易に張力を付与することができるので、分解がさらに簡単である。
【００４４】
［第二実施形態］
図４に本発明の第二実施形態に係るクレーンを示す。当該クレーンは、下部走行体１と、下部走行体上に水平方向に旋回可能に搭載される上部旋回体２と、上部旋回体２の前部に起伏（前側に倒伏、後側に起立するよう揺動）可能に取り付けられるブーム３ａと、ブーム３ａを起伏させる起伏機構４ａとを備える。
【００４５】
図４のクレーンにおける下部走行体１及び上部旋回体２の構成は、図１のクレーンにおける下部走行体１及び上部旋回体２の構成と同様である。したがって、図４のクレーンにおいて図１のクレーンと同じ構成要素には図１と同じ符号を付して重複する説明を省略する。
【００４６】
〔ブーム〕
ブーム３ａは、上部旋回体２に前後に揺動可能に取り付けられる基端部７と、吊り荷を吊り上げる吊りロープＲｈを案内するシーブを有する先端部８と、先端部８の先端に延設され、補助ロープＲｓを案内するシーブを有する延設部２２とを含む。
【００４７】
〔起伏機構〕
起伏機構４ａは、上部旋回体２に着脱可能且つ揺動可能に取り付けられるマスト２３と、マスト２３の先端に設けられる第１スプレッダ１３ａと、第１スプレッダ１３ａと対をなし、上部旋回体２に着脱可能に取り付けられる第２スプレッダ１４ａと、マスト２３に配設され、第１スプレッダ１３ａ及び第２スプレッダ１４ａに掛け渡される起伏ロープＲｄを巻き取る起伏ウインチ１５とを有する。
【００４８】
図４のクレーンにおいて、吊りロープＲｈを巻き取る巻上げウインチ９、及び補助ロープＲｓを巻き取る補助ウインチ２４は、マスト２３に配設される。
【００４９】
＜マスト＞
マスト２３は、その先端（上部旋回体２と反対側の端部）に、一端がブーム３ａの先端部に接続されるガイライン１６の他端が直接接続される。
【００５０】
マスト２３は、下側面に第２スプレッダ１４ａが係合可能なスプレッダ保持部１７ａを有する。
【００５１】
（スプレッダ保持部）
スプレッダ保持部１７ａは、第２スプレッダ１４ａを上部旋回体２から切り離した状態で、起伏ウインチ１５で起伏ロープＲｄを巻取り、マスト２３に沿って第２スプレッダ１４ａを第１スプレッダ１３に向かって移動させることで第２スプレッダ１４ａが係合するよう配設される。
【００５２】
＜スプレッダ＞
第１スプレッダ１３ａ及び第２スプレッダ１４ａは、複数のシーブを有し、起伏ロープＲｄが複数回往復するよう掛け渡され、相互の間隔が起伏ロープＲｄの長さに応じて変化する。これにより、マスト２３の角度を調節することで、マスト２３にガイライン１６で接続されたブーム３ａの起伏角度を定める。
【００５３】
〔クレーンの分解方法〕
図４のクレーンは、本発明に係るクレーン分解方法の実施形態によって分解することができる。当該クレーン分解方法は、図５に示すように、第２スプレッダ１４ａを上部旋回体２から分離し、補助クレーンでマスト２３を直立させた状態で、起伏ウインチ１５で起伏ロープＲｄを巻き取ることでスプレッダ保持部１７ａに第２スプレッダ１４ａを係合させる工程を含む。
【００５４】
より詳しく説明すると、当該クレーン分解方法は、マスト２３を起立させてブーム３ａを倒伏させる工程と、マスト２３を補助クレーンで吊って保持する工程と、マスト２３からガイライン１６を分離する工程と、第２スプレッダ１４ａを上部旋回体２から分離する工程と、起伏ウインチ１５で起伏ロープＲｄを巻き取ることでスプレッダ保持部１７ａに第２スプレッダ１４ａを係合させる工程と、マスト２３を第１スプレッダ１３ａ、第２スプレッダ１４ａ、巻上げウインチ９、起伏ウインチ１５及び補助ウインチ２４と共に上部旋回体２から分離する工程とを含む。
【００５５】
上部旋回体２から分離したマスト２３は、第２スプレッダ１４ａ及び起伏ウインチ１５を床面に接触させないよう、受台上に載置することが好ましい。
【００５６】
＜利点＞
当該クレーンは、マスト２３、第１スプレッダ１３ａ、第２スプレッダ１４ａ、巻上げウインチ９、起伏ウインチ１５及び補助ウインチ２４を一体に上部旋回体２から分離することができるので、分解及び組立てが容易である。
【００５７】
また、当該クレーンは、マスト２３に、起伏ロープＲｄの巻取りにより第２スプレッダ１４ａが係合するスプレッダ保持部１７ａが配設されているので、分解時に第２スプレッダ１４ａをマスト２３に固定すると共に、第１スプレッダ１３ａ及び第２スプレッダ１４ａ間に掛け渡されている起伏ロープＲｄに張力を付与して起伏ロープＲｄの外れを防止することができる。このため、当該クレーンは、組立て時に起伏ロープＲｄを掛け直す作業が発生しないため、組立てが容易である。
【００５８】
［その他の実施形態］
上記実施形態は、本発明の構成を限定するものではない。したがって、上記実施形態は、本明細書の記載及び技術常識に基づいて上記実施形態各部の構成要素の省略、置換又は追加が可能であり、それらは全て本発明の範囲に属するものと解釈されるべきである。
【００５９】
具体例として、当該クレーンにおいて、巻上げウインチ、補助ウインチ、雑役ウインチ等の構成は、任意の構成である。
【００６０】
当該クレーンにおいて、ガントリに巻上げウインチを配設してもよい。
【００６１】
当該クレーンは、起伏ウインチを取り付けるブラケットから独立してガントリに設けられ、分解時に第２スプレッダを案内するガイドを有してもよい。
【産業上の利用可能性】
【００６２】
本発明に係るクレーン及びクレーンの分解方法は、比較的大型のクレーンの構成及びその取り扱い方法として特に好適に利用することができる。
【符号の説明】
【００６３】
１  下部走行体
２  上部旋回体
３，３ａ  ブーム
４，４ａ  起伏機構
５  クローラー
６  操縦者用キャビン
７  基端部
８  先端部
９  巻上げウインチ
１０  雑役ウインチ
１１  折返しシーブ
１２  ガントリ
１３，１３ａ  第１スプレッダ
１４，１４ａ  第２スプレッダ
１５  起伏ウインチ
１６  ガイライン
１７，１７ａ  スプレッダ保持部
１８  ブラケット
１９  案内部
２０  係止部
２１  ガイド
２２  延設部
２３  マスト
２４  補助ウインチ
Ｆ  フック
Ｒｄ  起伏ロープ
Ｒｈ  吊りロープ
Ｒｏ  雑役ロープ
Ｒｓ  補助ロープ
【図１】
2019077541.tif 000003
【図２】
2019077541.tif 000004
【図３】
2019077541.tif 000005
【図４】
2019077541.tif 000006
【図５】
2019077541.tif 000007